(57)【要約】【課題】載置する台面との接触が極力少なく、且つ水切り効率が優れたしゃもじ置き台を提供すること。【解決手段】本発明は、しゃもじを収納する収納部１と、該収納部１の上端部に回動自在に設けられ蓋部２と、該蓋部２の裏側に起立状に設けられた連動片４と、を備え、しゃもじを収納する際、しゃもじで連動片４を押し下げることで、蓋部２を閉じるしゃもじ置き台である。連動片４が蓋部２とは別体であり、取り付け取り外し可能となっているので、連動片４が損傷した場合に、その交換が可能である。【選択図】図８
2016022015.tif 000002
【特許請求の範囲】
【請求項１】
しゃもじを収納する収納部と、該収納部の上端部に回動自在に設けられ蓋部と、該蓋部の裏側に起立状に設けられた連動片と、を備え、しゃもじを収納する際、しゃもじで連動片を押し下げることで、蓋部を閉じるしゃもじ置き台であって、連動片が蓋部とは別体であり、取り付け取り外し可能となっていることを特徴とするしゃもじ置き台。
【請求項２】
連動片は、蓋部に形成された取り付け部に掛合されていることを特徴とする請求項１記載のしゃもじ置き台。
【請求項３】
連動片の一方の端部は屈曲部を備えており、取り付け部は、支持軸とその両側に形成されたスリットよりなり、屈曲部が支持軸に掛合されるものであることを特徴とする請求項１記載のしゃもじ置き台。
【請求項４】
取り付け部から一定距離離れた位置に起立小片が形成されていることを特徴とする請求項２記載のしゃもじ置き台。
【請求項５】
蓋部は、基台部に回動自在になっており、該基台が収納部に取り付け取り外し可能になっていることを特徴とする請求項１記載のしゃもじ置き台。
【請求項６】
基台部は断面コ字状に形成されており、収納部の側壁部を強く挟み付けることにより収納部に対して取り付け可能となっていることを特徴とする請求項５記載のしゃもじ置き台。
【請求項７】
基台部の連結部に軸穴が形成され、該軸穴に蓋部に形成された一対の回転軸が装着されて回動自在になっていることを特徴とする請求項５記載のしゃもじ置き台。
【請求項８】
収納部の前側壁が、垂直壁と傾斜壁とよりなり、垂直壁にしゃもじの柄を装着する切欠き部を有することを特徴とする請求項１記載のしゃもじ置き台。
【請求項９】
収納部の底壁の前後に一対の支持足を設けたことを特徴とする請求項１記載のしゃもじ置き台。
【発明の詳細な説明】
【技術分野】
【０００１】
この発明は、しゃもじ置き台に関し、更に詳しくは蓋部がしゃもじの動きと連動して閉じるしゃもじ置き台に関する。
【背景技術】
【０００２】
従来、調理用としてしゃもじ置き台が使用されている。
しゃもじ置き台は、しゃもじを使用した後、仮置きしておくもので、しゃもじは容器に収納された状態で仮保管される。
【０００３】
しゃもじ置き台の例として、例えば、特許文献１に本体に蓋体を枢着したしゃもじ容器が開示されている。
この蓋体には、大きく突出する爪板が一体に形成されており、しゃもじを収納する際、柄がこの爪板を押圧することで、蓋体は回動して閉じるようになっている。
【０００４】
また特許文献２のしゃもじケースは、容器本体に蓋体が開閉自在に枢支され、蓋体には突片が垂下姿勢で一体に大きく突設されているものである。
これもしゃもじを当てて突片を押し下げることにより、蓋体を閉じることができる。
【０００５】
また特許文献３のしゃもじ容器は、蓋体に案内板が一体に突設されており、案内板がしゃもじ本体に押し下げられて蓋体が閉じるものである。
これらいずれも、しゃもじを収納する際に、それと連動して蓋体が閉じる構造を備えており、有用性がある。
【０００６】
しかし、爪板、突片、及び案内板は、いずれも蓋体と一体になっており、しゃもじと接触して押し下げられるものであって、長く使用していると損傷することがある。
蓋部と一体なので、それらが損傷すると蓋部が連動して閉じなくなる。
しかしそれらは交換できないため、全体的に使えなくなる。
一方では、爪板、突片、及び案内板は、大きく突出しているので、製造の金型が複雑になり製造コストが嵩む。
特に、その形によってはアンダーカットを生じさせ、型抜きが困難になる場合があり、分割金型を使用して対応するがコストが嵩む。
【先行技術文献】
【特許文献】
【０００７】
【特許文献１】実開昭５２−４９７７３号公報
【特許文献２】実開昭５８−１２５５３９公報
【特許文献３】実公昭６０−２０３４４公報
【発明の概要】
【発明が解決しようとする課題】
【０００８】
本発明は、かかる実状を背景になされたものである。
すなわち、本発明の目的は、しゃもじの押し下げに対応して蓋部が同時に閉じるしゃもじ置台において、連動片が交換可能で、製造も簡単なしゃもじ置き台を提供することである。
【課題を解決するための手段】
【０００９】
かくして、本発明者等は、このような課題背景に対して、鋭意研究を重ねた結果、連動片を蓋部とは別体にし、取り付け可能とすることにより、従来の問題点を解決できることを見出し、この知見に基づいて本発明を完成させた。
【００１０】
すなわち本発明は、（１）、しゃもじを収納する収納部１と、該収納部１の上端部に回動自在に設けられ蓋部２と、該蓋部２の裏側に起立状に設けられた連動片４と、を備え、しゃもじを収納する際、しゃもじで連動片４を押し下げることで、蓋部２を閉じるしゃもじ置き台であって、連動片４が蓋部２とは別体であり、取り付け取り外し可能となっていることを特徴とするしゃもじ置き台に存する。
【００１１】
本発明は、（２）、連動片４は、蓋部２に形成された取り付け部２２に掛合されている上記（１）記載のしゃもじ置き台に存する。
【００１２】
本発明は、（３）、連動片４の一方の端部は屈曲部４Ａを備えており、取り付け部２２は、支持軸とその両側に形成されたスリットよりなり、屈曲部４Ａが支持軸に掛合されるものである上記（１）記載のしゃもじ置き台に存する。
【００１３】
本発明は、（４）、取り付け部２２から一定距離離れた位置に起立小片２３が形成されている上記（２）記載のしゃもじ置き台に存する。
【００１４】
本発明は、（５）、蓋部２は、基台部３に回動自在になっており、該基台部３が収納部１に取り付け取り外し可能になっている上記（１）記載のしゃもじ置き台に存する。
【００１５】
本発明は、（６）、基台部３は断面コ字状に形成されており、収納部１の側壁部を強く挟み付けることにより収納部１に対して取り付け可能となっている上記（５）記載のしゃもじ置き台に存する。
【００１６】
本発明は、（７）、基台部３の連結部に軸穴が形成され、該軸穴に蓋部２に形成された一対の回転軸が装着されて回動自在になっている上記（５）記載のしゃもじ置き台に存する。
【００１７】
本発明は、（８）、収納部１の前側壁が、垂直壁と傾斜壁とよりなり、垂直壁にしゃもじの柄を装着する切欠き部を有する上記（１）記載のしゃもじ置き台に存する。
【００１８】
本発明は、（９）、収納部１の底壁の前後に一対の支持足を設けた上記（１）記載のしゃもじ置き台に存する。
【００１９】
なお、本発明の目的に沿ったものであれば上記（１）〜（９）を適宜組み合わせた構成も当然採用可能である。
【発明の効果】
【００２０】
本発明のしゃもじ置き台は、しゃもじを収納する収納部と、該収納部の上端部に回動自在に設けられ蓋部と、該蓋部の裏側に起立状に設けられた連動片と、を備え、しゃもじを収納する際、しゃもじで連動片を押し下げることで、蓋部を閉じるしゃもじ置き台であって、連動片が蓋部とは別体であり、取り付け取り外し可能となっているので、連動片が損傷した場合に交換が容易に行える。
連動片は、蓋部に形成された取り付け部に掛合されているので、掛合を外すことで簡単に交換ができる。
連動片の一方の端部は屈曲部を備えており、取り付け部は、支持軸とその両側に形成されたスリットよりなり、屈曲部が支持軸に掛合されるものであるので、取り外しできる回動構造として極めてシンプルなものとなっている。
【００２１】
取り付け部から一定距離離れた位置に起立小片が形成されているので、ここに連動片が当接して支えられるため、蓋部が回動して閉じる際、連動片が収納部の上縁と接触しない。
蓋部は、基台部に回動自在になっており、該基台部が収納部に取り付け取り外し可能になっているので、蓋部を簡単に収納部から分離することができる。
【００２２】
基台部は断面コ字状に形成されており、収納部の側壁部を強く挟み付けることにより収納部に対して取り付け可能となっているので、蓋部の収納部に対する取り付け取り外し操作が極めて簡単である。
基台部の連結部に軸穴が形成され、該軸穴に蓋部に形成された一対の回転軸が装着されて回動自在になっていることにより、回動構造がシンプルである。
【００２３】
収納部の前側壁が、垂直壁と傾斜壁とよりなり、垂直壁にしゃもじの柄を装着する切欠き部を有するので、しゃもじが収納された状態で姿勢が安定し移動しない。
収納部の底壁の前後に一対の支持足を設けたので、調理台等に置いた状態で安定した姿勢が保てる。
【図面の簡単な説明】
【００２４】
【図１】図１は、本発明の実施の形態における、しゃもじ置き台を示す正面図である。
【図２】図２は、本発明の実施の形態における、しゃもじ置き台を示す左側面図である。
【図３】図３は、本発明の実施の形態における、しゃもじ置き台を示す平面図である。
【図４】図４は、本発明の実施の形態における、しゃもじ置き台を示す右側面図である。
【図５】図５は、本発明の実施の形態における、しゃもじ置き台を示す底面図である。
【図６】図６は、本発明の実施の形態における、しゃもじ置き台を示す縦断面図である。
【図７】図７は、本発明の実施の形態における、しゃもじ置き台の基台部を示す図であり、（Ａ）は正面図、（Ｂ）は側面図である。
【図８】図８は、本発明の実施の形態における、しゃもじ置き台の連動片を示す図であり、（Ａ）は正面図、（Ｂ）は側面図である。
【図９】図９は、しゃもじを収納する際の手順を説明する図である。
【図１０】図１０は、しゃもじを引き出す際の手順を説明する図である。
【図１１】図１１は、本発明の実施の形態における、しゃもじ置き台の組み付けを説明する図である。
【発明を実施するための形態】
【００２５】
以下、本発明の実施の形態におけるしゃもじ置き台Ａを図面に基づいて説明する。
本発明のしゃもじ置き台Ａは、しゃもじを収納する際に、しゃもじの動きと連動して蓋部２が閉まるものである。
【００２６】
（実施の形態）
図１は、本発明の実施の形態のしゃもじ置き台を示す正面図であり、図２は左側面図を示す。
また図３は、本発明の実施の形態におけるしゃもじ置き台を示す平面図であり、図４は右側面図を示す。
更にまた、図５は、本発明の実施の形態におけるしゃもじ置き台を示す底面図であり、図６は縦断面図である。
【００２７】
しゃもじ置き台Ａは、しゃもじＢを使った後、一時的に収納しておくためのものである。
すなわちしゃもじＢを使ってご飯を米容器(おひつ、炊飯器等)から茶碗等に移した後、一旦、しゃもじＢをこのしゃもじ置き台Ａに置き、また必要な時に取り出して使用する。
しゃもじは、収納される際に収納部１に設けられた連動片４に当接して、それを押し下げる。
するとそれに連動して蓋部２が閉じる。
このような機能を有するしゃもじ置き台Ａは、図に示すようにしゃもじＢを収納する収納部１と、該収納部１の上端部に回動自在に設けられ蓋部２を備える。
【００２８】
（収納部）
収納部１は、この蓋部２により開口部が閉じられることとなる。
蓋部２は、矩形状であり、収納部１の開口部を閉じることができる十分な大きさとなっている。
収納部１は、底壁、前後左右の各側壁より囲まれる収納空間Ｓを有し、この収納空間ＳにしゃもじＢが収納される。
前側壁は、垂直壁１１と傾斜した傾斜壁１２とよりなり、この垂直壁１１には、切欠き部１１Ａが、一定長、形成されている。
しゃもじＢが収納部１に収納される際には、この切欠き部１１ＡにしゃもじＢの柄Ｂ１の部分が装着されて支持される状態となる。
しゃもじが収納された状態では、しゃもじの姿勢が安定し、傾斜壁１２がしゃもじの移動を防止することができる。
一方、底壁には、前後位置に一対の支持足１３が形成されており、調理台に安定して置くことができる。
【００２９】
（枢着）
前述したように、蓋部２は、収納部１に対して回動自在に取り付けられているが、直接ではなく基台部３を介して取り付けられている。
【００３０】
図７は、本発明の実施の形態におけるしゃもじ置き台の基台部を示す図であり、（Ａ）は正面図、（Ｂ）は側面図である。
基台部３は、断面コ字状に形成されており、断面コの字状を形成する把持部３１で収納部１の側壁を強く挟み込むようにして圧着される。
この把持部３１には、内側に小突起３１Ａが形成されており、収納部１の側壁をより強く圧止めすることができる。
一方、基台部３の連結部３２には、軸穴３２Ａが形成されており、この軸穴３２Ａに蓋部２の回動軸２３が挿入されることで、蓋部２は基台部３に対して回動自在となっている(枢着されている)。
このように回動構造としてはシンプルである。
【００３１】
蓋部２は、基台部３と簡単には取り外しできないようになっており、使用するうちに外れてしまうようなことがない。
この基台部３を収納部１に取り付けることで、結局、蓋部２は基台部３を介して収納部１に対して回動自在に取り付けられたこととなる。
このように蓋部２が基台部３を介して挟み込みにより収納部１に取り付けられているので、逆に、蓋部２は収納部１から取り外すことも可能である。
その場合は、収納部１に対して、蓋部２を基台部３と共に強く引き抜けばよい。
【００３２】
（連動片）
ところで蓋部２は、その内側には起立する連動片４を備えており、この連動片４は蓋部２に設けられた取り付け部２２（図３参照）に掛合することにより取り付けられる。
【００３３】
図８は、本発明の実施の形態における、しゃもじ置き台の連動片４を示す図であり、（Ａ）は正面図、（Ｂ）は側面図である。
蓋部２の取り付け部２２は、支持軸２２Ａとその両側に形成されたスリット２２Ｂよりなる（図３参照）。
一方、連動片４は、その一方の端部に屈曲部４Ａを備えており、この屈曲部４Ａが前記支持軸２２Ａに掛合することにより取り付けられる。
また屈曲部４Ａは、幅狭の小屈曲部４Ａ１を備えており、支持軸２２Ａは、この屈曲部４Ａと小屈曲部４Ａ１とにより弾圧的に掛合される。
そのため、必要な時は、掛合を外すことにより、取り外すことができる。
【００３４】
なお、この屈曲部４Ａを支持軸２２Ａに掛合するには、どちらのスリット２２Ｂ側から取り付けてもよい。
長く使っていく間に連動片４が損傷した場合には、その連動片４を新しいものと交換することが可能である。
また後述するように、連動片４は、必ずしゃもじに接触するので、米粒が付着し易く、乾燥するとこびりついて固化することがある。
その場合は連動片４のみを取り外して洗う。
【００３５】
一方、蓋部２には取り付け部２２から少し距離が離れた端部側に起立小片２３が一体に形成されている。
この起立小片２３は、連動片４を蓋部２に対して一定の角度で保持することができ、蓋部２が最大に開いている場合には、連動片４が垂直小片２３の先端に当接して支えられる。
また蓋部２を回動させてもこの垂直小片２３が存在するため連動片４が直接、収納部１の上縁に接触しない。
そのため、連動片４が収納部１の上縁と擦れるようなことがなく、蓋部２の回動が円滑に行われる。
【００３６】
(操作)
次に、しゃもじＢを収納する操作について述べる。
図９は、しゃもじＢを収納する際の、操作の手順を説明する図である。
まず蓋部２が大きく開いた最初の状態にあるとする（Ａ）。
いま、しゃもじＢを収納するには、上方からしゃもじＢを押し下げていくと（Ｂ）、最初にしゃもじＢの柄Ｂ１の部分が連動片４に接触する（Ｃ）。
更にしゃもじＢを押し下げていくと、しゃもじの柄Ｂ１が連動片４を押し下げる。
すると、蓋部２は連動片４の押し下げと同時に閉じる方向に回動する（Ｄ）。
そして、更にしゃもじＢを押し下げると蓋部２は閉じる（Ｅ）。
そしてしゃもじＢは、収納部１の底に着地した状態で収納される。
この状態では連動片４はほぼ垂直に垂下した状態となる。
このように、しゃもじＢの動きに連動して連動片４が押し下げられ蓋部２が閉じるのである。
次に、しゃもじＢを収納部１から取り出す。
【００３７】
図１０は、しゃもじを引き出す際の手順を説明する図である。
まずしゃもじが収納されて蓋部２が閉じた状態にあるとする（Ａ）。
この場合はしゃもじＢを上方に引き上げていくと、しゃもじの縁部が蓋部２に当接する。
そして更にしゃもじＢを引き上げると、それが蓋部２を押し上げるので、蓋部２は開く方向に回動していく（Ｂ）,（Ｃ）。
この時は、まだ連動片４は下方に垂れている状態にある。
更にしゃもじＢを上方に引き上げていくと、蓋部２は更に開いた状態となり、その端部が基台部３に接触することで止まる。
この時、連動片４は垂直小片２３に支えられ、ほぼ水平状態となる（Ｄ）。
これで、しゃもじＢの取り出しは完了する。
このように、しゃもじＢの動きに連動して連動片４が押し上げられ蓋部２が開くのである。
以上のように、しゃもじＢを動かす動作に連動して蓋部２を効率よく開閉することができる。
【００３８】
（清掃）
ところでしゃもじ置台Ａは、米粒が付着することから、その都度、洗うことが必要である。
もっとも、収納部１に水を入れておくことで、米粒の付着を極力防止することができる。
しゃもじ置台Ａを洗うには、まず、蓋部２を収納部１から取り外す。
そのため基台部３を収納部１から引き外すが、この場合は、基台部３が収納部１の側壁を強く挟み付けた状態にあるので、強く引き抜くことで蓋部２が基台部３と共に収納部１から引き離される。
次に、連動片４の屈曲部４Ａを蓋部２の支持軸２２Ａから離脱させて、蓋部２と連動片４とを取り外す。
このように、しゃもじ置台Ａは、蓋部２（基台部３を備えたもの）、収納部１、及び連動片４の３つの部分に分離した後、それぞれを洗浄する。
洗浄した後、再度、これらを組み付ける。
【００３９】
図１１は、本発明の実施の形態におけるしゃもじ置き台の組み付けを説明する図である。
組み付けは、蓋部２に連動片４を掛合しておき、収納部１に基台部３を蓋部２と共に挟み込むように圧着し、また連動片４の屈曲部４Ａを支持軸２２Ａに掛合させることで、これら蓋部２（基台部３を備えたもの）、収納部１、及び連動片４が相互に組み付けられしゃもじ置台Ａとなる。
このように、各部品に分解して洗うので、洗い易く、しかも効率よく洗えるのである。
ここで、各部品の材料としては、例えば、収納部１はＡＢＳ樹脂、蓋部２や連動片４はポリスチロール樹脂、基台部３はポリプロピレンが好ましく採用されるが、必ずしも、これに限定されることはない。
【００４０】
以上、本発明を説明したが、本発明は、上述した実施の形態に限られるものではなく、その目的に則したものであれば種々の変形が可能である。
例えば、支持足の形や大きさは自由であり、置いた場合、収納部１が安定した状態であればよい。
また、蓋部２と基台部３との回動構造は蓋部２が基台部３に対して回動ができれば、種々の構造が採用可能である。
【産業上の利用可能性】
【００４１】
本発明のしゃもじ置き台は、しゃもじの押し下げに連動して蓋部が同時に閉じるしゃもじ置台であって、連動片が交換可能でしかも全体的に製造が容易であり、このメリットを利用できる限り、包丁等の置台としても採用が可能である。
【符号の説明】
【００４２】
Ａ…しゃもじ置台
Ｂ…しゃもじ
Ｂ１…柄
１…収納部
１１…垂直壁
１１Ａ…切欠き部
１２…傾斜壁
１３…支持足
２…蓋部
２１…回動軸
２２…取り付け部
２２Ａ…支持軸
２２Ｂ…スリット
２３…起立小片
３…基台部
３１…把持部
３１Ａ…小突起
３２…連結部
３２Ａ…軸穴
４…連動片
４Ａ…屈曲部
４Ａ１…小屈曲部
Ｓ…収納空間
【図１】
2016022015.tif 000003
【図２】
2016022015.tif 000004
【図３】
2016022015.tif 000005
【図４】
2016022015.tif 000006
【図５】
2016022015.tif 000007
【図６】
2016022015.tif 000008
【図７】
2016022015.tif 000009
【図８】
2016022015.tif 000010
【図９】
2016022015.tif 000011
【図１０】
2016022015.tif 000012
【図１１】
2016022015.tif 000013